(57)【要約】【課題】シンプルで細く小型化することができる構成により、手元側からの操作によって先端処置部材を軸線周りに確実に回転させることができる内視鏡用処置具を提供すること。【解決手段】可撓性シース１の先端開口部内に軸線周りに回転自在に螺旋状部材４を配置してその螺旋状部材４に先端処置部材２の基端を連結し、螺旋状部材４と係合して螺旋状部材４の軸線方向への進退動作を軸線周りの回転動作に変換する係合部材５を可撓性シース１の先端開口部に固定的に設けて、軸線方向に進退させる力を螺旋状部材４に作用させることにより、螺旋状部材４が軸線周りに回転してそれと一体に先端処置部材２が回転するようにした。【選択図】　　　図１
2004016309.tif 000002
【特許請求の範囲】
【請求項１】
可撓性シースの先端に先端処置部材が配置された内視鏡用処置具において、
上記可撓性シースの先端開口部内に軸線周りに回転自在に螺旋状部材を配置してその螺旋状部材に上記先端処置部材の基端を連結し、上記螺旋状部材に軸線方向への進退力を作用させるための進退力伝達部材を上記可撓性シース内に挿通配置すると共に、上記螺旋状部材と係合して上記螺旋状部材の軸線方向への進退動作を軸線周りの回転動作に変換する係合部材を上記可撓性シースの先端開口部に固定的に設けて、上記進退力伝達部材により軸線方向に進退させる力を上記螺旋状部材に作用させることにより、上記螺旋状部材が軸線周りに回転してそれと一体に上記先端処置部材が回転するようにしたことを特徴とする内視鏡用処置具。
【請求項２】
上記螺旋状部材が、円筒状又は円柱状の部材の外周面に螺旋溝が形成されたものである請求項１記載の内視鏡用処置具。
【請求項３】
上記螺旋状部材が、円筒状又は円柱状の部材の外周面に螺旋状の突起が形成されたものである請求項１記載の内視鏡用処置具。
【請求項４】
上記螺旋状部材が、平板状の部材を螺旋状に捩じった形状に形成されている請求項１記載の内視鏡用処置具。
【請求項５】
上記先端処置部材が、前方から見て上記可撓性シースの外径からはみ出さない大きさに形成されている請求項１ないし４のいずれかの項に記載の内視鏡用処置具。
【請求項６】
上記先端処置部材が、上記可撓性シースの先端から真っ直ぐに前方に突出した棒状体の先端を側方に曲げた形状に形成されている請求項５記載の内視鏡用処置具。
【請求項７】
上記先端処置部材の基端が、上記螺旋状部材に対して偏心して取り付けられている請求項６記載の内視鏡用処置具。
【請求項８】
上記先端処置部材が、中間部分でクランク状に曲がった形状に形成されている請求項６記載の内視鏡用処置具。
【請求項９】
上記先端処置部材が、上記可撓性シースの先端から斜め前方に向かって突出した棒状体の先端を側方に曲げた形状に形成されている請求項６記載の内視鏡用処置具。
【請求項１０】
上記先端処置部材が、高周波電流が通電される高周波電極である請求項１ないし９のいずれかの項に記載の内視鏡用処置具。
【発明の詳細な説明】
【０００１】
【発明の属する技術分野】
この発明は内視鏡用処置具に関する。
【０００２】
【従来の技術】
近年行われるようになっている内視鏡的粘膜切除術（ＥＭＲ）には、先端処置部材として先端がＬ字状に曲げられた高周波電極が可撓性シースの先端に取り付けられたフッキングナイフと呼ばれる高周波処置具が用いられる。
【０００３】
そのようなＬ字状の先端処置部材を有するフッキングナイフは、患部に先端を押し当てて切開を行う際に方向性を有するので、先端処置部材を可撓性シースの軸線周りに任意に回転させられるようにすることが望ましい。
【０００４】
そのように、先端処置部材を軸線周りに回転させることができるようにした内視鏡用処置具としては、先端処置部材の基部から側方に突設されたピンを、可撓性シースの先端の筒状体の内周面に形成された螺旋溝に係合させ、手元側からの遠隔操作により先端処置部材を軸線方向に進退させることにより先端処置部材が軸線周りに回転するようにしたもの（実公昭５２−４０６１６号）や、それと類似の構成によって可撓性シースの先端部分自体が軸線周りに回転するようにしたもの（特開平５−１９２３４８号）等がある。
【０００５】
【発明が解決しようとする課題】
しかし、被回転部材から側方に突設されたピンを筒状体の内周面に形成された螺旋溝に係合させる構成は、構造が複雑で大きくなってしまうので内視鏡用の処置具に用いるには現実性が乏しく、可撓性シースの先端部分自体を回転させると内視鏡側との干渉により確実に作動しない場合がある。
【０００６】
そこで本発明は、シンプルで細く小型化することができる構成により、手元側からの操作によって先端処置部材を軸線周りに確実に回転させることができる内視鏡用処置具を提供することを目的とする。
【０００７】
【課題を解決するための手段】
上記の目的を達成するため、本発明の内視鏡用処置具は、可撓性シースの先端に先端処置部材が配置された内視鏡用処置具において、可撓性シースの先端開口部内に軸線周りに回転自在に螺旋状部材を配置してその螺旋状部材に先端処置部材の基端を連結し、螺旋状部材に軸線方向への進退力を作用させるための進退力伝達部材を可撓性シース内に挿通配置すると共に、螺旋状部材と係合して螺旋状部材の軸線方向への進退動作を軸線周りの回転動作に変換する係合部材を可撓性シースの先端開口部に固定的に設けて、進退力伝達部材により軸線方向に進退させる力を螺旋状部材に作用させることにより、螺旋状部材が軸線周りに回転してそれと一体に先端処置部材が回転するようにしたものである。
【０００８】
なお、螺旋状部材が、円筒状又は円柱状の部材の外周面に螺旋溝が形成されたものであってもよい。また、螺旋状部材が、円筒状又は円柱状の部材の外周面に螺旋状の突起が形成されたものであってもよく、或いは、平板状の部材を螺旋状に捩じった形状に形成されていてもよい。
【０００９】
また、先端処置部材が、前方から見て可撓性シースの外径からはみ出さない大きさに形成されていてもよく、そのような先端処置部材が、可撓性シースの先端から真っ直ぐに前方に突出した棒状体の先端を側方に曲げた形状に形成されていてもよい。
【００１０】
或いは、先端処置部材の基端が、螺旋状部材に対して偏心して取り付けられていてもよく、先端処置部材が、中間部分でクランク状に曲がった形状に形成されていてもよく、可撓性シースの先端から斜め前方に向かって突出した棒状体の先端を側方に曲げた形状に形成されていてもよい。
【００１１】
なお、先端処置部材が、高周波電流が通電される高周波電極であってもよい。
【００１２】
【発明の実施の形態】
図面を参照して本発明の実施例を説明する。
図２は、本発明をフッキングナイフに適用した第１の実施例の内視鏡用処置具の全体構成を示しており、図示されていない内視鏡の処置具挿通チャンネルに挿脱される可撓性シース１は、例えば四フッ化エチレン樹脂チューブ又は超弾性合金パイプ等によって形成されている。
【００１３】
可撓性シース１の先端には、先端処置部材として例えばステンレス鋼棒等のような導電性金属からなる高周波電極２が配置されている。高周波電極２は、可撓性シース１の先端部分の軸線位置から前方に真っ直ぐに突出して、その先端部分２ａが略直角の側方に曲げられたＬ字状に形成されている。
【００１４】
可撓性シース１内には、基端側から操作部１０によって軸線方向に進退操作される操作ワイヤ３（進退力伝達部材）が全長にわたって挿通配置されている。操作ワイヤ３は、ステンレス鋼ワイヤ又は超弾性合金ワイヤ等のような導電性のある材料で形成されていて、高周波電極２に対する高周波電流の導電線の役割も兼用している。
【００１５】
可撓性シース１の基端（手元側）に連結された操作部１０の構成は図３に詳細に図示されており、操作部本体１１の後端部には第１の指掛け１１ａが取り付けられ、操作部本体１１の中間部分に形成されたスリット部分には、第２の指掛け１２がスライド自在に係合している。
【００１６】
第２の指掛け１２には、電源ソケット１３が取り付けられていて、電源ソケット１３を締め込む（ねじ込む）ことによって、操作ワイヤ３の基端に固着連結されている導電ロッド１４が第２の指掛け１２に固定され、同時に導電ロッド１４と電源ソケット１３の導電端子１３ａとが電気的に接続された状態になる。
【００１７】
その結果、第２の指掛け１２を進退操作することによって操作ワイヤ３が可撓性シース１内で軸線方向に進退し、図示されていない高周波電源コードを電源ソケット１３に接続することによって、操作ワイヤ３に高周波電流を通電することができる。
【００１８】
図４は第１の実施例の内視鏡用処置具の先端部分の構成を詳細に示しており、可撓性シース１の先端開口部内に配置された螺旋状部材４の中心軸線位置に貫通して穿設された孔に、高周波電極２の基端部と操作ワイヤ３の先端部とが両側から各々挿入固着されて、螺旋状部材４を介して高周波電極２と操作ワイヤ３とが連結された状態になっている。
【００１９】
高周波電極２は、可撓性シース１を先端開口側から見た正面図である図５にも示されるように、前方から見て先端部分２ａが螺旋状部材４の外径からはみ出さないように、先端部分２ａが螺旋状部材４の半径より短く形成されている。
【００２０】
ただし、この実施例においては組立上の都合等からそのようになっているが、使用時に内視鏡の処置具挿通チャンネルを通過させるには、先端部分２ａが可撓性シース１の外径からはみ出さない程度の大きさであればよい。
【００２１】
螺旋状部材４は例えばセラミックス又はプラスチック等のような電気絶縁性の円筒状又は円柱状部材によって形成されており、高周波電極２と操作ワイヤ３とは端面どうしで突き当てられて電気的に直接接続されている。ただし、螺旋状部材４を導電性材料で形成して、螺旋状部材４を介して高周波電極２と操作ワイヤ３とを電気的に導通させても差し支えない。
【００２２】
螺旋状部材４の外周面には、図１にも図示されるように、螺旋溝４０が形成されている。螺旋溝４０のピッチを大きくとるために、この実施例では螺旋溝４０が２条に（即ち、２列に並んで）形成されている。
【００２３】
螺旋状部材４は、後述する係合部５０と係合させることができるように螺旋状部材４の先端側に開口しており（先端開口部４１）、螺旋状部材４が可撓性シース１の前方に抜け出さないように螺旋溝４０の後端側は閉じている。
【００２４】
可撓性シース１の先端開口の内周面部分には、例えばセラミックス又はプラスチック等のような電気絶縁性の部材からなる係合部材５が強固に固着されていて、螺旋状部材４の螺旋溝４０と係合する突起状の係合部５０が係合部材５から内方に向けて突出形成されている。この実施例の螺旋溝４０は２条なので、係合部５０はそれに合わせて１８０°対称の位置に一対形成されている。
【００２５】
このように構成された内視鏡用処置具は、操作ワイヤ３を介して高周波電極２に高周波電流を通電して、経内視鏡的に粘膜切除等を行うことができ、操作ワイヤ３を操作部１０側から進退操作すれば、螺旋状部材４に対して軸線方向に移動させようとする力が作用し、それが螺旋溝４０と係合部５０との係合により回転運動に変換されて、螺旋状部材４が高周波電極２と共に軸線周りに回転する。
【００２６】
そして、上述のような構成を採用したことにより、可撓性シース１の先端部分を細く小さくかつ硬性部を短く低コストで製造することができると同時に、高周波電極２に対してスムーズで微細な回転調整操作を行うことができる。
【００２７】
また、螺旋状部材４を係合部５０から前方に抜き出して高周波電極２及び操作ワイヤ３と共に可撓性シース１から取り外すことができるので、使用後の洗浄及び組み立てが容易である。
【００２８】
図６及び図７は、本発明の第２及び第３の実施例を示しており、螺旋溝４０を単条溝にして製造をより容易にしたもの、及び螺旋溝４０の先端開口部４１をテーパ状に広げて係合部５０と係合し易くしたものである。
【００２９】
図８は、本発明の第４の実施例を示しており、螺旋状部材４の素材である円筒状又は円柱状の部材の外周面に螺旋状の鍔４２を突設して螺旋溝４０を形成したものである。
【００３０】
図９は、その実施例の軸線に対して垂直な断面の断面図であり、係合部５０は螺旋溝４０の断面形状に合わせた形状に形成されていて、螺旋状部材４の軸線方向への運動力が軸線周りの回転動作に変換される。
【００３１】
図１０及び図１１は、本発明の第５の実施例を示しており、螺旋状部材４が平板状の素材を螺旋状に捩じった形状に形成されて、それによって螺旋溝４０が形成されている。なお、第４及び第５の実施例においても、螺旋溝４０は先端側には開放されていて、後端側では閉じている。
【００３２】
図１２は、本発明の第６の実施例を示しており、高周波電極２の基端を、螺旋状部材４の中心軸線位置から偏心した位置に配置したものである。このようにすることにより、高周波電極２の先端部分２ａの長さ（Ｘ）を長くとって螺旋状部材４の外径寸法（Ｙ）の半分より大きく（即ちＸ＞Ｙ／２）することができ、粘膜切除を行う際に先端部分２ａを患部に引っかけ易くなる。
【００３３】
図１３及び図１４は、同様の効果を得るための第７及び第８の実施例を示しており、高周波電極２を中間部分でクランク状に曲がった形状に形成した例、及び高周波電極２を螺旋状部材４から斜め前方に向かって突出する構造にした例である。
【００３４】
なお、本発明は上記実施例に限定されるものではなく、例えば本発明をいわゆるフッキングナイフ以外の内視鏡用高周波処置具に適用してもよく、高周波電流を用いない機械式の内視鏡用処置具に適用してもよい。
【００３５】
【発明の効果】
本発明によれば、可撓性シースの先端開口部内に軸線周りに回転自在に螺旋状部材を配置してその螺旋状部材に先端処置部材の基端を連結し、螺旋状部材と係合して螺旋状部材の軸線方向への進退動作を軸線周りの回転動作に変換する係合部材を可撓性シースの先端開口部に固定的に設けて、軸線方向に進退させる力を螺旋状部材に作用させることにより、螺旋状部材が軸線周りに回転してそれと一体に先端処置部材が回転するようにしたことにより、手元側からの操作によって先端処置部材を軸線周りに確実に回転させることができ、しかも細く小型化して経内視鏡的使用に優れた効果を発揮することができる。
【図面の簡単な説明】
【図１】本発明の第１の実施例の内視鏡用処置具の先端部分の部分斜視図である。
【図２】本発明の第１の実施例の内視鏡用処置具の全体構成を示す側面図である。
【図３】本発明の第１の実施例の内視鏡用処置具の操作部の側面断面図である。
【図４】本発明の第１の実施例の内視鏡用処置具の先端部分の側面断面図である。
【図５】本発明の第１の実施例の内視鏡用処置具の先端部分の正面図である。
【図６】本発明の第２の実施例の内視鏡用処置具の先端部分の部分斜視図である。
【図７】本発明の第３の実施例の内視鏡用処置具の先端部分の部分側面図である。
【図８】本発明の第４の実施例の内視鏡用処置具の先端部分の部分側面図である。
【図９】本発明の第４の実施例の内視鏡用処置具の先端部分の軸線に垂直な断面における断面図である。
【図１０】本発明の第５の実施例の内視鏡用処置具の先端部分の部分側面図である。
【図１１】本発明の第５の実施例の内視鏡用処置具の先端部分の軸線に垂直な断面における断面図である。
【図１２】本発明の第６の実施例の内視鏡用処置具の先端部分の側面断面図である。
【図１３】本発明の第７の実施例の内視鏡用処置具の先端部分の側面断面図である。
【図１４】本発明の第８の実施例の内視鏡用処置具の先端部分の側面断面図である。
【符号の説明】
１　可撓性シース
２　高周波電極（先端処置部材）
２ａ　先端部分
３　操作ワイヤ（進退力伝達部材）
４　螺旋状部材
５　係合部材
１０　操作部
４０　螺旋溝
５０　係合部
【図１】
2004016309.tif 000003
【図２】
2004016309.tif 000004
【図３】
2004016309.tif 000005
【図４】
2004016309.tif 000006
【図５】
2004016309.tif 000007
【図６】
2004016309.tif 000008
【図７】
2004016309.tif 000009
【図８】
2004016309.tif 000010
【図９】
2004016309.tif 000011
【図１０】
2004016309.tif 000012
【図１１】
2004016309.tif 000013
【図１２】
2004016309.tif 000014
【図１３】
2004016309.tif 000015
【図１４】
2004016309.tif 000016